(57)【要約】【課題】インターネット利用者やケーブルＴＶ視聴者などの不特定多数のユーザーに向けて広告を行なうと共に、特定のユーザーに対して広告を行ない、広告による宣伝効果を多く得ることの出来る広告配信システム及び広告配信方法を提供すること。【解決手段】広告主が広告データをインターネットを介して広告配信者へ発信し、該広告配信者が受信した広告データをインターネットと、ケーブルＴＶと特定ユーザー表示端末へ配信できるデータに変換させ、特定ユーザー表示端末を特定した後に各々の表示手段へ広告を配信する。【選択図】図１
2006106640.tif 000002
【特許請求の範囲】
【請求項１】
広告主が広告データをインターネットを介して広告配信者へ発信し、該広告配信者が受信した広告データをユーザーへ配信する広告配信システムにおいて、
あらかじめ決められた様式に従い広告主が入力する広告データをインターネットによって発信する発信端末と、
該発信端末から発信された広告データを受信し、蓄積する記憶手段と、
蓄積された広告データの変換、出力を指示する制御部と、
前記記憶手段に記憶された広告データをインターネットに表示可能のデータに変換するホームページデータ変換手段と、
変換されたホームページデータをインターネットサーバに送りインターネットでアクセス可能にするインターネット送信手段と、
前記記憶手段に記憶された広告データをケーブルＴＶに放送できるデータに変換するケーブルＴＶ放送データ変換手段と、
変換されたケーブルＴＶ放送データを順に表示して広告を行なうケーブルＴＶ番組を作成するケーブルＴＶ番組作成手段と、
作成したケーブルＴＶ番組をケーブルＴＶで放送を行なうケーブルＴＶ番組送信手段と、
前記広告データを表示する特定ユーザー表示端末を特定するユーザー特定手段と、
前記広告データを特定ユーザー表示端末に表示可能な形式のデータに変換する特定ユーザー表示端末データ変換手段と、
変換された広告データをユーザー特定手段で特定された特定ユーザー表示端末のみに送信する特定ユーザー表示端末データ送信手段と、
前記各々の送信手段で送信された広告データを表示する表示端末
を備えることを特徴とする広告配信システム。
【請求項２】
前記広告データが、
複数の広告内容を有する表示データと、
広告の表示時刻や表示時間を指定する表示管理データからなり、
前記表示端末が、表示管理データに指定された表示時刻や表示時間に従い広告内容を表示すること
を特徴とする請求項１記載の広告配信システム。
【請求項３】
前記表示端末が、
送信された表示端末データを蓄える第二の記憶手段を備え、
インターネットと分離されても第二の記憶手段に蓄えた広告データを表示すること
を特徴とする請求項１及び２記載の広告配信システム。
【請求項４】
広告主が広告データをインターネットを介して広告配信者へ発信し、該広告配信者が受信した広告データをユーザーへ配信する広告配信方法において、
あらかじめ決められた様式に従い広告主が発信端末を用いて入力する広告データをインターネットによって発信する発信工程と、
発信された広告データを受信し、記憶手段に蓄積する記憶工程と、
前記記憶手段に記憶された広告データを、インターネットに表示可能のデータに変換すること、及びケーブルＴＶで放送できるデータに変換し広告用ケーブルＴＶ番組を作成すること、及び特定ユーザー表示端末に表示可能な形式のデータに変換することを行なうデータ変換工程と、
広告データを表示する特定ユーザー表示端末を特定するユーザー特定工程と、
その後、変換された各データを各々の表示手段へ配信する配信工程
を行なうことを特徴とする広告配信方法。
【発明の詳細な説明】
【技術分野】
【０００１】
本発明は、インターネットを介して広告主の広告情報を受信し、多種多様な配信手段を用いて広告を行なう広告配信システム及びその方法に関するものです。
【背景技術】
【０００２】
現在、インターネットを広告に用いることが広く行われている。例えば特開２００２−２６８５９６号公報にはＴＶ装置にインターネットを表示させて利用するユーザーに対して選択手順を軽減させて広告を提供する例が示されている。しかし、これはユーザーがインターネットを利用できるＴＶ装置を備え、インターネットの操作を行なうことが必要であった。
さらには、インターネット情報をケーブルＴＶ表示データに変換して、ケーブルＴＶ視聴者にインターネット情報を広告番組として提供することが行われていた。これは、インターネット利用者以外にも広告の提供を行なう要求に応えるものである。
【特許文献１】特開２００２−２６８５９６号公報
【発明の開示】
【発明が解決しようとする課題】
【０００３】
しかしながら、前記のような従来の方法は、インターネット利用者とケーブルＴＶ視聴者を対象とした広告であって、これらは、ユーザーを特定できない不特定多数のユーザーに向けて行なう広告である。
近年では、個人消費行動の多様化に伴い、広告を行なう場合、広告対象者として一般に広く不特定多数のユーザーに宣伝活動を行なうのみならず、特定のユーザーに対して特化した宣伝活動を集中して行なうことの必要性が高まっている。
従って、本発明は前記問題点に鑑み、広告主が広告データをインターネットを介して広告配信者へ発信し、該広告配信者が受信した広告データをユーザーへ配信するに際し、インターネット利用者やケーブルＴＶ視聴者などの不特定多数のユーザーに向けて広告を行なうと共に、特定のユーザーに対して広告を行ない、広告による宣伝効果を多く得ることの出来る広告配信システム及び広告配信方法を提供することを目的とする。
【課題を解決するための手段】
【０００４】
前記目的を達成するため、本発明は、広告主が広告データをインターネットを介して広告配信者へ発信し、該広告配信者が受信した広告データをユーザーへ配信する広告配信システムにおいて、あらかじめ決められた様式に従い広告主が入力する広告データをインターネットによって発信する発信端末と、該発信端末から発信された広告データを受信し、蓄積する記憶手段と、蓄積された広告データの変換、出力を指示する制御部と、前記記憶手段に記憶された広告データをインターネットに表示可能のデータに変換するホームページデータ変換手段と、変換されたホームページデータをインターネットサーバに送りインターネットでアクセス可能にするインターネット送信手段と、前記記憶手段に記憶された広告データをケーブルＴＶに放送できるデータに変換するケーブルＴＶ放送データ変換手段と、変換されたケーブルＴＶ放送データを順に表示して広告を行なうケーブルＴＶ番組を作成するケーブルＴＶ番組作成手段と、作成したケーブルＴＶ番組をケーブルＴＶで放送を行なうケーブルＴＶ番組送信手段と、前記広告データを表示する特定ユーザー表示端末を特定するユーザー特定手段と、前記広告データを特定ユーザー表示端末に表示可能な形式のデータに変換する特定ユーザー表示端末データ変換手段と、変換された広告データをユーザー特定手段で特定された特定ユーザー表示端末のみに送信する特定ユーザー表示端末データ送信手段と、前記各々の送信手段で送信された広告データを表示する表示端末を備えることを特徴とする広告配信システムである。
【０００５】
また、広告主が広告データをインターネットを介して広告配信者へ発信し、該広告配信者が受信した広告データをユーザーへ配信する広告配信方法において、あらかじめ決められた様式に従い広告主が発信端末を用いて入力する広告データをインターネットによって発信する発信工程と、発信された広告データを受信し、記憶手段に蓄積する記憶工程と、前記記憶手段に記憶された広告データを、インターネットに表示可能のデータに変換すること、及びケーブルＴＶで放送できるデータに変換し広告用ケーブルＴＶ番組を作成すること、及び特定ユーザー表示端末に表示可能な形式のデータに変換することを行なうデータ変換工程と、広告データを表示する特定ユーザー表示端末を特定するユーザー特定工程と、その後、変換された各データを各々の表示手段へ配信する配信工程を行なうことを特徴とする広告配信方法である。
【発明の効果】
【０００６】
本発明によれば、前記のインターネット配信とケーブルＴＶ番組配信に加えて、特定ユーザーの表示端末に広告情報を配信することで、インターネット利用者やケーブルＴＶ視聴者などの不特定多数のユーザーのみならず、広告主が宣伝対象としたい特定のユーザーに対して広告宣伝活動を確実に行なうことができる。
また、特定ユーザーの表示端末は発信端末から特定ユーザー表示端末までを広告配信者サーバを介してオンラインで接続していることで広告内容や、広告表示時刻の変更を容易にしかも即時に行なうことが可能となる。
【発明を実施するための最良の形態】
【０００７】
以下に、本発明の実施の形態について図面を用いて説明する。
図１は、本発明の実施例における広告配信システムの構成図を示している。
図２は、本発明の実施例における広告配信処理のフロー図をしめしている。
図１において、広告主Ｘが発信端末１となるパソコンを備え、発信端末１は、インターネット網２を介して広告配信者サーバ３と接続されている。
広告配信者サーバ３には、データを記憶する記憶手段５と記憶されたデータの入出力を指示する制御手段４が設けられ、広告主Ｘから発信された広告データの蓄積と入出力の管理を行なう。
広告配信者サーバ３は、広告データを各種広告媒体に表示できるように変換する変換手段として、広告データをインターネットに表示できるホームページデータに変換するホームページデータ変換手段９と、広告データをケーブルＴＶ放送表示用のデータに変換するケーブルＴＶ放送データ変換手段１１と、特定のユーザーの表示端末８に表示できるデータに変換する特定ユーザー表示端末データ変換手段６が接続されている。
その際広告主Ｘが指定した特定ユーザーの表示端末を選別するユーザー特定手段１９が特定ユーザー表示端末データ変換手段６と制御手段４の間に備えられている。
【０００８】
ホームページデータ変換手段９には、変換されたホームページデータをインターネット上に送信するインターネット送信手段１０が接続され、インターネット網２を介して、不特定多数のインターネットユーザーＺ１にアクセス可能な状態に配信され、ホームページデータはホームページ表示端末１６であるパソコンに表示される。
ケーブルＴＶ放送データ変換手段１１は、各々の広告主Ｘからの広告データを変換した複数のケーブルＴＶ放送表示用データをデータごとに放送時間や表示順序を決定し、１つのケーブルＴＶ用広告番組として作成するケーブルＴＶ番組作成手段１２が接続されている。
作成された広告番組は、ケーブルＴＶ送出手段１３に送られ、他のケーブルＴＶ番組と共に番組タイムシートに合わせてケーブルＴＶ網１４を介してケーブルＴＶ表示端末１７に表示され、不特定多数のケーブルＴＶ視聴ユーザーＺ２に配信される。
特定ユーザー表示端末データ変換手段６には、変換された表示データを広告主Ｘが指定した特定ユーザーの表示端末８のみに送信する表示端末データ配信手段７が接続され、インターネットやＬＡＮなどのネットワーク網１５を介して、特定ユーザーに向けて特定ユーザー表示端末８に広告を配信する。
【０００９】
次に、広告の配信を行なう手順を説明する。広告主Ｘは、発信端末１を操作し広告配信者Ｙがインターネット網２上に提供しているホームページサイトにアクセスし、図６、図７に示す入力画面に広告主データと広告データを入力する。広告データは、広告内容を有する表示データと、広告の表示時刻や表示時間を指定する表示管理データと、広告データを配信したいユーザーを特定するユーザー特定データを有する。
表示データには、文字データと画像データが入力される。
ケーブルＴＶ端末１７と特定ユーザー表示端末８に表示データを表示する際に、前記表示管理データに指示された時刻、時間に表示される。
入力端末に入力された広告データは、インターネット網２を介して広告配信者サーバ３に送られる。
広告データは、広告配信者サーバ３に備えられた記憶手段５に蓄えられ、制御手段４の指示により、各データ変換手段に送られる。
【００１０】
まず、広告をインターネットに配信する際の手順を図３に示し、説明する。
記憶手段５に蓄えられた広告データは、ホームページデータ変換手段９によりあらかじめ決められた定形のフォーマットにしたがって、ホームページデータに変えられる。図８に変換されたホームページ表示画面を示す。
これは、発信端末１に広告主Ｘが入力する際に、入力画面の決められた項目を選択して、ホームページの定形フォーマット上に構成するもので、項目をあらかじめ決めておくことで、自動的にホームページデータ化することが、可能となるのである。
変換されたホームページデータは、インターネット送信手段１０により、インターネット上にアップロードされる。
これにより、インターネットユーザーＺ１がホームページにアクセスすることで、要求された広告ページをホームページ表示端末１６であるパソコンに表示し、宣伝を行なうことができる。
このとき、広告情報を受け取るインターネットユーザーＺ１は、自発的に広告情報を求める層であり、また不特定多数のユーザーに対して広告宣伝活動を行うことができる。
また、インターネット送信手段１０はホームページデータを通常のインターネット網に配信することに加え、データ通信機能を備えた携帯電話で提供されているインターネットサービスにもホームページデータを提供することができ、ホームページ表示端末１６である携帯電話にも表示できる。
【００１１】
次に、広告をケーブルＴＶ番組で配信する際の手順を図４に示し説明する。
記憶手段５に蓄えられた広告データは、ケーブルＴＶ放送データ変換手段１１に送られ、ケーブルＴＶモニターへ出力可能なデータ形式であるケーブルＴＶ放送データに変換される。
図９にケーブルＴＶ表示端末１７での表示画面を示す。
ケーブルＴＶ放送データ変換手段１１で変換されたケーブルＴＶ放送データは、ケーブルＴＶ番組作成手段１２に送られる。ケーブルＴＶ番組作成手段１２には複数の広告主の広告データを変換した複数のケーブルＴＶ放送データが送られてくる。これら複数のケーブルＴＶ放送データをあらかじめ決められた優先順位に基づいて順に並列させ、１つのケーブルＴＶ放送データあたりの放送時間や放送時刻の指定などの広告データの内の表示管理データの表示にしたがって、一つの宣伝用ケーブルＴＶ番組データを作成する。
作成されたケーブルＴＶ番組データは、ケーブルＴＶの番組を送出するケーブルＴＶ番組送信手段１３により、番組タイムテーブルにしたがって決められた時刻に宣伝用のケーブルＴＶ番組としてケーブルＴＶ網１４を介してケーブルＴＶ表示端末１７に送信し、ケーブルＴＶで放送される。
ケーブルＴＶによる番組配信は、複数の広告主の広告を同時にひとつの番組としてケーブルＴＶ視聴者に向けて宣伝活動を行なうことができ、不特定多数のケーブルＴＶ視聴者の内、ある程度の層（放送時間による視聴者層、前後に放送される番組プログラムによる視聴者層など）に対象を絞った宣伝活動を行なうことができる。
【００１２】
次に広告を広告主Ｘが特定したユーザーの表示端末のみに配信する際の手順を図５に示し説明する。
記憶手段５に蓄えられた広告データは、ユーザー特定手段１９によりユーザー特定データを用いて広告主Ｘが配信したいユーザーを特定する。
その後、広告データは特定ユーザー表示端末データ変換手段６に送られ、特定ユーザー表示端末８であるパソコンに表示可能な画像データに変換される。
変換された広告データは、特定ユーザー表示端末データ送信手段７に送られる。特定ユーザー表示端末データ送信手段７に送られた広告データは、ユーザー特定手段１９で特定した、広告主が広告データを入力時に指定した特定ユーザー表示端末８のみに送信される。即ち、特定ユーザー表示端末８には、広告主が、指定した広告のみが表示され、他の広告主の広告は表示されない。
特定ユーザー表示端末データ送信手段７から送信される広告データは、インターネットやＬＡＮなどのネットワーク網１５を介して、広告主が指定した特定ユーザー表示端末８に送られ、広告を表示する。
【００１３】
前記実施例では、広告主Ｘがユーザー特定データを付与することで広告データを配信する特定ユーザー表示端末８を特定しているが、広告データを表示する特定ユーザー表示端末８を特定するにはこれに限定するものではなく、広告主Ｘが広告データに広告主パスワードを付与し、広告データを配信する際には、特定ユーザー表示端末８から広告主パスワードを指定し、ユーザー特定手段において指定された広告主パスワードの広告データを選択して特定ユーザー表示端末８に配信することで、広告データを表示する特定ユーザー表示端末８を特定することができる。
【００１４】
特定ユーザー表示端末８は広告主が自分のみの広告宣伝活動を行ないたい場所に設置され、広告主のみの広告を表示する。例えば、広告主自身の店舗内に特定ユーザー表示端末８を設置し、店舗商品の宣伝や店舗の案内などを行なうことができる。
また、入力を行う発信端末１と特定ユーザー表示端末８とが常時接続した状態になされている場合においては、入力された広告データが即時に変換、送信され、特定ユーザー表示端末８に表示することができるので、広告したい情報が状況において変動するようなもの、例えば、他店との価格競争のためすぐにでも価格を変えてそのことを広告したい場合などには、広告データを即時に変換して表示することができ、素早くタイムリーに広告宣伝活動を行うことが可能となる。
発信端末１に広告データを入力する際に、特定ユーザー表示端末８を複数台に指定することで、広告主のひとつの店舗のみならず、複数の店舗においても、各店舗に特定ユーザー表示端末８を設置することで、前記同様の広告宣伝効果を複数の店舗にも与えることができる。
他にも、広告主のひとつの店舗に複数台の特定ユーザー表示端末８を売り場ごとに備え、各特定ユーザー表示端末８に共通の店舗広告と表示端末ごとに異なる各売り場の広告を表示することで、ユーザーがその時に求める情報をタイムリーで適切に提供することができる。
さらには、広告データ入力時において、広告表示時刻の設定を変えた複数の広告データを一つの特定ユーザー表示端末８に配信することで、時刻に合わせた広告を行なうことができ、例えば、飲食店でのランチメニューの紹介をランチタイムの午前１１時から午後１時に行ない、夕刻の午後５時から７時には、別メニューの紹介を行なうことや、スーパーマーケットなどでの１時間ごとに設定するタイムサービス時の店内告知などに活用できる。
【００１５】
他の実施例として、特定ユーザー表示端末８が第２の記憶手段１８を備え、送信された広告データを第２の記憶手段１８に蓄えることで、インターネットやＬＡＮなどのネットワーク網１５から特定ユーザー表示端末８を分離し、任意の場所に移動させて広告宣伝活動を行なうことが可能となる。
さらには、特定ユーザー表示端末８に広告情報を表示させながら移動することで、特定ユーザー表示端末８を列車やバス、旅客機などの移動媒体に設置し、移動媒体で移動中のユーザーに宣伝活動を行なったり、移動媒体の外方へ表示して広告を行ない、より広範囲のユーザーに対して宣伝活動を行なうこともできる。
【図面の簡単な説明】
【００１６】
【図１】本発明の実施例における広告配信システムの構成図
【図２】本発明の実施例における広告配信処理のフロー図
【図３】広告をインターネット配信する際のデータフロー図
【図４】広告をケーブルＴＶ番組配信する際のデータフロー図
【図５】広告を特定ユーザー表示端末に配信する際のデータフロー図
【図６】広告主データの入力画面
【図７】広告データの入力画面
【図８】ホームページ表示画面
【図９】ＴＶ端末、表示端末での表示画面
【符号の説明】
【００１７】
１    発信端末
２    インターネット網
３    広告配信者サーバ
４    制御手段  
５    記憶手段
６    特定ユーザー表示端末データ変換手段
７    特定ユーザー表示端末データ送信手段
８    特定ユーザー表示手段
９    ホームページデータ変換手段
１０  インターネット送信手段
１１  ケーブルＴＶ放送データ変換手段
１２  ケーブルＴＶ番組作成手段
１３  ケーブルＴＶ番組送信手段
１４  ケーブルＴＶ網
１５  ネットワーク網
１６  ホームページ表示端末
１７  ケーブルＴＶ端末
１８  第２の記憶手段
Ｘ    広告主
Ｙ    広告配信者
Ｚ    ユーザー
Ｚ１  インターネットユーザー
Ｚ２  ケーブルＴＶユーザー
Ｚ３  特定ユーザー表示端末視聴ユーザー
【図１】
2006106640.tif 000003
【図２】
2006106640.tif 000004
【図３】
2006106640.tif 000005
【図４】
2006106640.tif 000006
【図５】
2006106640.tif 000007
【図６】
2006106640.tif 000008
【図７】
2006106640.tif 000009
【図８】
2006106640.tif 000010
【図９】
2006106640.tif 000011